(57)【特許請求の範囲】
【請求項１】
共用操作棒を装着可能なアダプタを備えてこのアダプタに装着した前記共用操作棒の回転によって架空線の締着とその解除とを行なう一対のトングと、
前記トングを支持して前記アダプタに装着された前記共用操作棒に沿う方向に延びる一対の支持部と、
前記一対の支持部を予め決められた距離だけ離して連結する連結体と、
前記連結体に対して前記一対の支持部のうち少なくとも一方を、前記アダプタに装着した前記共用操作棒の操作で回転自在にする回転機構と、
前記アダプタに対する前記共用操作棒の装着方向側からの操作で、前記連結体に対して回転した前記支持部を位置固定する固定部と、
を備えることを特徴とする架空線支持具。
【請求項２】
共用操作棒を装着可能なアダプタを備えてこのアダプタに装着した前記共用操作棒の回転によって架空線の締着とその解除とを行なう一対のトングと、
前記トングを支持して前記アダプタに装着された前記共用操作棒に沿う方向に延びる一対の支持部と、
前記一対の支持部を予め決められた距離だけ離して連結する連結体と、
前記連結体に対して前記一対の支持部を少なくとも互い違いの方向に回転自在にする回転機構と、
前記連結体に対して回転した前記一対の支持部を位置固定する固定部と、
を備えることを特徴とする架空線支持具。
【請求項３】
前記回転機構は、前記連結体に対して前記一対の支持部を互い違いの方向にのみ回転自在とする、ことを特徴とする請求項２に記載の架空線支持具。
【請求項４】
前記連結体に対して前記一対の支持部を互い違いの方向にのみ自由回転させるラチェット機構を前記固定部として採用した、ことを特徴とする請求項２に記載の架空線支持具。
【請求項５】
前記連結体は、前記一対のトングが締着する架空線を切断するためのカッターを装着するカッター用操作棒を受け入れて支持するためのＵ字形状をしたカッター支持部を備える、ことを特徴とする請求項１ないし４のいずれか一に記載の架空線支持具。
【請求項６】
前記一対のトングが締着する架空線を切断可能な位置に位置させて前記連結体に取り付けられたカッターと、
前記カッターを操作するためのカッター用操作棒を装着可能なカッター用アダプタと、
を備える
ことを特徴とする請求項１ないし４のいずれか一に記載の架空線支持具。
【請求項７】
共用操作棒を装着可能なアダプタを備えてこのアダプタに装着した前記共用操作棒の回転によって架空線の締着とその解除とを行なう一対のトングと、
前記トングを支持して前記アダプタに装着された前記共用操作棒に沿う方向に延びる一対の支持部と、
前記一対の支持部を予め決められた距離だけ離して連結する連結体と、
前記連結体に対して前記一対の支持部のうち少なくとも一方を、前記アダプタに装着した前記共用操作棒の操作で回転自在にする回転機構と、
前記アダプタに対する前記共用操作棒の装着方向側からの操作で、前記連結体に対して回転した前記支持部を位置固定する固定部と、
を備える架空線支持具を用いた架空線の切断方法であって、
一方の前記トングのアダプタに前記共用操作棒を装着し、この共用操作棒を回転させて前記一方のトングで架空線を締着する第１の装着工程と、
もう一方の前記トングのアダプタに前記共用操作棒を装着し、この共用操作棒を回転させて前記もう一方のトングで架空線を締着する第２の装着工程と、
前記一対のトングの間に位置する架空線をカッターで切断する切断工程と、
前記アダプタに装着した前記共用操作棒を操作して前記連結体に対して一方の前記支持部を回転させて前記固定部で位置固定する位置固定工程と、
前記アダプタから前記共用操作棒を取り外す脱落工程と、
を備えることを特徴とする架空線の切断方法。
【請求項８】
共用操作棒を装着可能なアダプタを備えてこのアダプタに装着した前記共用操作棒の回転によって架空線の締着とその解除とを行なう一対のトングと、
前記トングを支持して前記アダプタに装着された前記共用操作棒に沿う方向に延びる一対の支持部と、
前記一対の支持部を予め決められた距離だけ離して連結する連結体と、
前記連結体に対して前記一対の支持部を少なくとも互い違いの方向に回転自在にする回転機構と、
前記連結体に対して前記一対の支持部を位置固定する固定部と、
を備える架空線支持具を用いた架空線の切断方法であって、
一方の前記トングのアダプタに前記共用操作棒を装着し、この共用操作棒を回転させて前記一方のトングで架空線を締着する第１の装着工程と、
もう一方の前記トングのアダプタに前記共用操作棒を装着し、この共用操作棒を回転させて前記もう一方のトングで架空線を締着する第２の装着工程と、
前記一対のトングの間に位置する架空線をカッターで切断する切断工程と、
前記アダプタに装着した前記共用操作棒を操作して前記連結体に対して前記一対の支持部を互い違いの方向に回転させて前記固定部で位置固定する位置固定工程と、
前記アダプタから前記共用操作棒を取り外す脱落工程と、
を備えることを特徴とする架空線の切断方法。
【請求項９】
前記切断工程は、前記連結体に設けられたＵ字形状をしたカッター支持部に前記カッターを装着する操作体を受け入れさせて支持させる、ことを特徴とする請求項７又は８に記載の架空線の切断方法。
【請求項１０】
共用操作棒を装着可能なアダプタを備えてこのアダプタに装着した前記共用操作棒の回転によって架空線の締着とその解除とを行なう一対のトングと、
前記トングを支持して前記アダプタに装着された前記共用操作棒に沿う方向に延びる一対の支持部と、
前記一対の支持部を予め決められた距離だけ離して連結する連結体と、
前記一対のトングが締着する架空線を切断可能な位置に位置させて前記連結体に取り付けられたカッターと、
前記カッターを操作するための操作棒を装着可能なカッター用アダプタと、
前記連結体に対して前記一対の支持部のうち一方を回転自在にする回転機構と、
前記連結体に対して回転した前記支持部を位置固定する固定部と、
を備える架空線支持具を用いた架空線の切断方法であって、
前記カッター用アダプタに装着した前記カッター用操作棒を持って前記一対のトングを架空線に近づけるアクセス工程と、
一方の前記トングのアダプタに前記共用操作棒を装着し、この共用操作棒を回転させて前記一方のトングで架空線を締着する第１の装着工程と、
もう一方の前記トングのアダプタに前記共用操作棒を装着し、この共用操作棒を回転させて前記もう一方のトングで架空線を締着する第２の装着工程と、
前記一対のトングの間に位置する架空線を前記カッターで切断する切断工程と、
前記アダプタに装着した前記共用操作棒を操作して前記連結体に対して一方の前記支持部を回転させて前記固定部で位置固定する位置固定工程と、
前記アダプタから前記共用操作棒を取り外す脱落工程と、
を備えることを特徴とする架空線の切断方法。
【請求項１１】
共用操作棒を装着可能なアダプタを備えてこのアダプタに装着した前記共用操作棒の回転によって架空線の締着とその解除とを行なう一対のトングと、
前記トングを支持して前記アダプタに装着された前記共用操作棒に沿う方向に延びる一対の支持部と、
前記一対の支持部を予め決められた距離だけ離して連結する連結体と、
前記一対のトングが締着する架空線を切断可能な位置に位置させて前記連結体に取り付けられたカッターと、
前記カッターを操作するための操作棒を装着可能なカッター用アダプタと、
前記連結体に対して前記一対の支持部を少なくとも互い違いの方向に回転自在にする回転機構と、
前記連結体に対して前記一対の支持部を位置固定する固定部と、
を備える架空線支持具を用いた架空線の切断方法であって、
前記カッター用アダプタに装着した前記カッター用操作棒を持って前記一対のトングを架空線に近づけるアクセス工程と、
一方の前記トングのアダプタに前記共用操作棒を装着し、この共用操作棒を回転させて
前記一方のトングで架空線を締着する第１の装着工程と、
もう一方の前記トングのアダプタに前記共用操作棒を装着し、この共用操作棒を回転させて前記もう一方のトングで架空線を締着する第２の装着工程と、
前記一対のトングの間に位置する架空線を前記カッターで切断する切断工程と、
前記アダプタに装着した前記共用操作棒を操作して前記連結体に対して前記一対の支持部を互い違いの方向に回転させて前記固定部で位置固定する位置固定工程と、
前記アダプタから前記共用操作棒を取り外す脱落工程と、
を備えることを特徴とする架空線の切断方法。
【発明の詳細な説明】
【技術分野】
【０００１】
本発明は、間接活線作業で架空線を切断するために架空線を支持する架空線支持具及びこれを用いた架空線の切断方法に関する。
【背景技術】
【０００２】
電柱工事において停電作業を行なう場合、架空線（高圧架空線）の縁線を切断することがある。この場合、通常は切断しようとする箇所の両端にバイパス回路を形成してバイパス回路中に工事用の開閉器をつなぎ、開閉器を閉じてから架空線を切断する。こうすることで需要家への給電に影響を与えることなく架空線を切断することができる。
【０００３】
図１５は、従来から行なわれている間接活線工法による架空線（高圧架空線）の切断作業の様子を示している。架空線１を切断するに際しては、アダプタ３１に共用操作棒２０１を装着した一対のトング１１（ストレーリングトング）を用意する。一人の作業員がトング１１を操作して架空線１を二箇所で締着する。もう一人の作業員がカッター（図示せず）を操作し、二つのトング１１の間の部分で架空線１を切断する（切断部分を×印で示す）。その後、トング１１の操作で切断後の架空線１を屈曲させ、切断後の架空線１が他物に接触しないように措置する。必要に応じて架空線１の切断箇所にキャップなどを被せたり、別の電線に撒き付けたりすることもある。
【先行技術文献】
【特許文献】
【０００４】
【特許文献１】特開２００９−４４９３６号公報
【発明の概要】
【発明が解決しようとする課題】
【０００５】
図１５に例示した方法での架空線（高圧架空線）の切断は様々な問題を惹起させる。
【０００６】
例えば、二人の作業員が切断作業時に重なってしまい作業性が悪いという問題がある。これは、一対の共用操作棒を一人の作業員が支えた状態でもう一人の作業員がカッターで架空線を切断するという作業工程上、どうしても二人の作業員が場所的に重なり合ってしまうからである。
【０００７】
作業性が悪いという問題は、架空線の切断作業時のみに留まらず、工事完了後に切断した架空線を元に戻すときにも問題となる。このときには架空線の切断箇所をスリーブで接続するわけであるが、従来は切断部分を曲げているのでスリーブが装着しにくくなってしまうからである。
【０００８】
その他、架空線の切断作業時、架空線が跳ね上って充電部が他物に接触する可能性があることも大きな問題である。切断後の架空線（充電部）が他物に接触すると地絡による停電などの事故を呼び起こす。この問題は特許文献１でも課題として取り上げられている。
【０００９】
本発明はこのような点に鑑みなされたもので、架空線の切断及び復旧に際しての作業性を良好にすることができ、しかも切断後の架空線の充電部が他物に接触するという事故を確実に防止することができる架空線支持具及び架空線の切断方法を提供することである。
【課題を解決するための手段】
【００１０】
本発明の架空線支持具は、共用操作棒を装着可能なアダプタを備えてこのアダプタに装着した前記共用操作棒の回転によって架空線の締着とその解除とを行なう一対のトングと、前記トングを支持して前記アダプタに装着された前記共用操作棒に沿う方向に延びる一対の支持部と、前記一対の支持部を予め決められた距離だけ離して連結する連結体と、前記連結体に対して前記一対の支持部のうち少なくとも一方を、前記アダプタに装着した前記共用操作棒の操作で回転自在にする回転機構と、前記アダプタに対する前記共用操作棒の装着方向側からの操作で、前記連結体に対して回転した前記支持部を位置固定する固定部と、を備えることによって上記課題を解決する。
【００１１】
本発明の架空線支持具は、共用操作棒を装着可能なアダプタを備えてこのアダプタに装着した前記共用操作棒の回転によって架空線の締着とその解除とを行なう一対のトングと、前記トングを支持して前記アダプタに装着された前記共用操作棒に沿う方向に延びる一対の支持部と、前記一対の支持部を予め決められた距離だけ離して連結する連結体と、前記連結体に対して前記一対の支持部を少なくとも互い違いの方向に回転自在にする回転機構と、前記連結体に対して回転した前記一対の支持部を位置固定する固定部と、を備えることによって上記課題を解決する。
【００１２】
本発明は、共用操作棒を装着可能なアダプタを備えてこのアダプタに装着した前記共用操作棒の回転によって架空線の締着とその解除とを行なう一対のトングと、前記トングを支持して前記アダプタに装着された前記共用操作棒に沿う方向に延びる一対の支持部と、前記一対の支持部を予め決められた距離だけ離して連結する連結体と、前記連結体に対して前記一対の支持部のうち少なくとも一方を、前記アダプタに装着した前記共用操作棒の操作で回転自在にする回転機構と、前記アダプタに対する前記共用操作棒の装着方向側からの操作で、前記連結体に対して回転した前記支持部を位置固定する固定部と、を備える架空線支持具を用いた架空線の切断方法であって、一方の前記トングのアダプタに前記共用操作棒を装着し、この共用操作棒を回転させて前記一方のトングで架空線を締着する第１の装着工程と、もう一方の前記トングのアダプタに前記共用操作棒を装着し、この共用操作棒を回転させて前記もう一方のトングで架空線を締着する第２の装着工程と、前記一対のトングの間に位置する架空線をカッターで切断する切断工程と、前記アダプタに装着した前記共用操作棒を操作して前記連結体に対して一方の前記支持部を回転させて前記固定部で位置固定する位置固定工程と、前記アダプタから前記共用操作棒を取り外す脱落工程と、を備えることによって上記課題を解決する。
【００１３】
本発明は、共用操作棒を装着可能なアダプタを備えてこのアダプタに装着した前記共用操作棒の回転によって架空線の締着とその解除とを行なう一対のトングと、前記トングを支持して前記アダプタに装着された前記共用操作棒に沿う方向に延びる一対の支持部と、前記一対の支持部を予め決められた距離だけ離して連結する連結体と、前記連結体に対して前記一対の支持部を回転自在にする回転機構と、前記連結体に対して互い違いの方向に回転させた前記一対の支持部を位置固定する固定部と、を備える架空線支持具を用いた架空線の切断方法であって、一方の前記トングのアダプタに前記共用操作棒を装着し、この共用操作棒を回転させて前記一方のトングで架空線を締着する第１の装着工程と、もう一方の前記トングのアダプタに前記共用操作棒を装着し、この共用操作棒を回転させて前記もう一方のトングで架空線を締着する第２の装着工程と、前記一対のトングの間に位置する架空線をカッターで切断する切断工程と、前記アダプタに装着した前記共用操作棒を操作して前記連結体に対して前記一対の支持部を互い違いの方向に回転させて前記固定部で位置固定する位置固定工程と、前記アダプタから前記共用操作棒を取り外す脱落工程と、を備えることによって上記課題を解決する。
【００１４】
本発明は、共用操作棒を装着可能なアダプタを備えてこのアダプタに装着した前記共用操作棒の回転によって架空線の締着とその解除とを行なう一対のトングと、前記トングを支持して前記アダプタに装着された前記共用操作棒に沿う方向に延びる一対の支持部と、前記一対の支持部を予め決められた距離だけ離して連結する連結体と、前記一対のトングが締着する架空線を切断可能な位置に位置させて前記連結体に取り付けられたカッターと、前記カッターを操作するための操作棒を装着可能なカッター用アダプタと、前記連結体に対して前記一対の支持部のうち一方を回転自在にする回転機構と、前記連結体に対して回転した前記支持部を位置固定する固定部と、を備える架空線支持具を用いた架空線の切断方法であって、前記カッター用アダプタに装着した前記カッター用操作棒を持って前記一対のトングを架空線に近づけるアクセス工程と、一方の前記トングのアダプタに前記共用操作棒を装着し、この共用操作棒を回転させて前記一方のトングで架空線を締着する第１の装着工程と、もう一方の前記トングのアダプタに前記共用操作棒を装着し、この共用操作棒を回転させて前記もう一方のトングで架空線を締着する第２の装着工程と、前記一対のトングの間に位置する架空線を前記カッターで切断する切断工程と、前記アダプタに装着した前記共用操作棒を操作して前記連結体に対して一方の前記支持部を回転させて前記固定部で位置固定する位置固定工程と、前記アダプタから前記共用操作棒を取り外す脱落工程と、を備えることによって上記課題を解決する。
【００１５】
本発明は、共用操作棒を装着可能なアダプタを備えてこのアダプタに装着した前記共用操作棒の回転によって架空線の締着とその解除とを行なう一対のトングと、前記トングを支持して前記アダプタに装着された前記共用操作棒に沿う方向に延びる一対の支持部と、前記一対の支持部を予め決められた距離だけ離して連結する連結体と、前記一対のトングが締着する架空線を切断可能な位置に位置させて前記連結体に取り付けられたカッターと、前記カッターを操作するための操作棒を装着可能なカッター用アダプタと、前記連結体に対して前記一対の支持部を回転自在にする回転機構と、前記連結体に対して互い違いの方向に回転させた前記一対の支持部を位置固定する固定部と、を備える架空線支持具を用いた架空線の切断方法であって、前記カッター用アダプタに装着した前記カッター用操作棒を持って前記一対のトングを架空線に近づけるアクセス工程と、一方の前記トングのアダプタに前記共用操作棒を装着し、この共用操作棒を回転させて前記一方のトングで架空線を締着する第１の装着工程と、もう一方の前記トングのアダプタに前記共用操作棒を装着し、この共用操作棒を回転させて前記もう一方のトングで架空線を締着する第２の装着工程と、前記一対のトングの間に位置する架空線を前記カッターで切断する切断工程と、前記アダプタに装着した前記共用操作棒を操作して前記連結体に対して前記一対の支持部を互い違いの方向に回転させて前記固定部で位置固定する位置固定工程と、前記アダプタから前記共用操作棒を取り外す脱落工程と、を備えることによって上記課題を解決する。
【発明の効果】
【００１６】
本発明によれば、架空線の切断に際しての作業性を良好にすることができ（作業員が架空線支持具を手で保持する必要性がないために二人の作業員の立ち位置がクロスしないので）、切断後の架空線の復旧に際しての作業性も良好にすることができ（架空線の切断後に支持部を回転させて切断箇所を離反させるために切断後の架空線を屈曲させずに済み、切断箇所をスリーブで接続するに際してスリーブを円滑に装着できるので）、しかも切断後の架空線の充電部が他物に接触するという事故を確実に防止することができる（互いに連結されて一体化された一対のトングで架空線を締着したままの状態に維持できるので）。
【図面の簡単な説明】
【００１７】
【図１】第１の実施の形態を示す架空線支持具の正面図。
【図２】架空線支持具の側面図。
【図３】共用操作棒の正面図。
【図４】共用操作棒の先端に設けられている装着部を拡大して示す斜視図。
【図５】トングのアダプタを拡大して示す斜視図。
【図６】トングのアダプタに共用操作棒の装着部が装着されている状態を示す正面図。
【図７】架空線支持具の正面図であり、（ａ）は一対のトングで架空線を締着した状態を示す正面図、（ｂ）は架空線を切断して一対の支持部を互い違いに回転して位置固定した状態を示す正面図。
【図８】架空線支持具の側面図であり、（ａ）は一対のトングで架空線を締着した状態を示す側面図、（ｂ）は架空線を切断して一対の支持部を互い違いに回転して位置固定した状態を示す側面図。
【図９】第２の実施の形態を示す架空線支持具の正面図。
【図１０】第３の実施の形態を示す架空線支持具の側面図。
【図１１】第４の実施の形態を示す架空線支持具の側面図。
【図１２】第５の実施の形態を示す架空線支持具の正面図。
【図１３】架空線支持具の側面図。
【図１４】第６の実施の形態を示す架空線支持具の側面図。
【図１５】一対のトングに架空線を締着して行なう従来の架空線の切断作業の様子を示す正面図。
【発明を実施するための形態】
【００１８】
≪第１の実施の形態≫
第１の実施の形態を図１ないし図８（ａ）、（ｂ）に基づいて説明する。
【００１９】
（１）架空線支持具の構成
図１及び図２に示すように、本実施の形態の架空線支持具は、一対のトング１１を一対の支持部５１で支持し、これらの一対の支持部５１を連結体５３で連結している。架空線支持具はまた、連結体５３に対して一対の支持部５１を回転自在にし（回転機構５４）、連結体５３に対して回転した一対の支持部５１を位置固定する（固定部５５）。
【００２０】
トング１１は、鉤形になった基体１２を主体とする。基体１２は架空線１（図７（ａ）、（ｂ）〜図８（ａ）、（ｂ）参照）を挿入するための挿入口１３を形成し、挿入口１３から入り込んだ架空線１を締着駒１４で締着する。締着駒１４は基体１２に螺合する締着ねじ１５の先端に回転自在に取り付けられ、基体１２との間に形成される締着空間１６に架空線１を導く。
【００２１】
締着ねじ１５の後端にはアダプタ３１が固定されている。アダプタ３１は共用操作棒２０１（図３〜図４、図６参照）を着脱自在に装着するための構造物である。アダプタ３１と締着ねじ１５とは固定されているため、アダプタ３１に装着した共用操作棒２０１を回転させれば締着ねじ１５も回転し、これによって締着空間１６で締着駒１４を進退させることができる。アダプタ３１の詳細については後述する。
【００２２】
一対の支持部５１は、トング１１の基体１２の背面に固定された一対の支持パイプ５２である。支持パイプ５２は締着ねじ１５と平行に配列され、したがってアダプタ３１に装着された共用操作棒２０１に沿う方向に延びている（図８（ａ）、（ｂ）参照）。支持部５１は例えば金属製のパイプ状部材によって形成されている。
【００２３】
一対の支持パイプ５２は下方に孔が開けられ、これらの孔にパイプ状の連結体５３が貫通している。連結体５３は例えば金属製のパイプ状部材によって形成されている。このような連結体５３はその両端に二個一組のストッパリング５４ａをそれぞれ備え、これらのストッパリング５４ａによって支持パイプ５２の脱落を規制している。したがって一対の支持パイプ５２は連結体５３に対して回転自在であり、ここに回転機構５４が形成されている。
【００２４】
一対の支持部５１を位置固定する固定部５５はアイリングからなる。一対の支持パイプ５２の下端にはアイリングである固定部５５がそれぞれ螺合している。固定部５５を締め付けるとその先端が連結体５３に押し当たり、連結体５３に対して支持パイプ５２が位置固定される。
【００２５】
（２）共用操作棒とトングのアダプタ
図３及び図４に示すように、共用操作棒２０１はその先端部に装着部２０２を有している。装着部２０２は、円筒状の装着基体２０３の外周面に一対の装着ピン２０４を突出させ、更にプッシュロッド２０５とプッシュリング２０６とを設けたものである。プッシュロッド２０５は装着基体２０３の頭部に出没自在に設けられ、図示しないコイルスプリングによって装着基体２０３から飛び出す方向に付勢されている。プッシュリング２０６は装着基体２０３の下方位置に共用操作棒２０１の長手方向に沿ってスライド自在に設けられ、図示しないコイルスプリングによって装着基体２０３の方向に付勢されている。したがって、プッシュロッド２０５及びプッシュリング２０６は同一方向に付勢されていることになる。
【００２６】
図５に示すように、アダプタ３１は共用操作棒２０１の装着部２０２に対する装着が可能な形状を有している。つまりアダプタ３１は、装着部２０２の装着基体２０３の嵌合を許容する嵌合孔３２を形成している。そして装着部２０２が有している装着ピン２０４の挿入を許容するＴ字形状をした一対のピン溝３３を嵌合孔３２から切れ込んだ形状に形成している。これらのピン溝３３は、その終端部分に折り返された折返し部３４を有している。
【００２７】
図６はアダプタ３１に共用操作棒２０１の装着部２０２が装着されている状態を示す正面図である。この状態では、共用操作棒２０１の側に設けられた一対の装着ピン２０４がアダプタ３１の側に設けられたピン溝３３の折返し部３４に位置付けられている。こうして共用操作棒２０１をアダプタ３１に装着するには、アダプタ３１の嵌合孔３２に共用操作棒２０１の装着部２０２が有している装着基体２０３を嵌合させ、ピン溝３３に装着ピン２０４を挿入する。装着ピン２０４がピン溝３３内を水平方向に移動できる位置まで装着部２０２を押し込み、その位置で装着ピン２０４を移動できる位置まで共用操作棒２０１を回動させる。この位置で手を離すと、プッシュロッド２０５及びプッシュリング２０６を付勢するコイルスプリング（図示せず）の付勢力によって、共用操作棒２０１に設けられた一対の装着ピン２０４がアダプタ３１に設けられたピン溝３３の折返し部３４に位置付けられ、共用操作棒２０１がアダプタ３１に固定される。
【００２８】
（３）架空線の切断方法
間接活線工法による架空線１の切断は次の各工程によって実行される。
【００２９】
（第１の装着工程）
図７（ａ）及び図８（ａ）に示すように、一方のトング１１（例えば図７（ａ）中の左側のトング１１）のアダプタ３１に共用操作棒２０１を装着する。そしてトング１１の挿入口１３から架空線１を締着空間１６に導き入れ、共用操作棒２０１を回転させて締着駒１４を架空線１の方向に進ませて締着空間１６内で締着する。こうして左側に位置する一方のトング１１で架空線１を締着することができる。
【００３０】
（第２の装着工程）
図７（ａ）及び図８（ａ）に示すように、もう一方のトング１１（例えば図７（ａ）中の右側のトング１１）のアダプタ３１に共用操作棒２０１を装着する。この共用操作棒２０１は、左側のトング１１のアダプタ３１から取り外したものであっても、左側のトング１１のアダプタ３１に装着したものとは別のものであっても、いずれでも良い。そしてトング１１の挿入口１３から架空線１を締着空間１６に導き入れ、共用操作棒２０１を回転させて締着駒１４を架空線１の方向に進ませて締着空間１６内で締着する。こうして右側に位置するもう一方のトング１１で架空線を締着することができる。
【００３１】
（切断工程）
図７（ａ）及び図８（ａ）に示すように、一対のトング１１の間に位置する架空線１をカッター（図示せず）で切断する（図７（ａ）中、切断部分を×印で示す）。カッターにはカッター用操作棒（図示せず）を取り付け、カッター用操作棒の操作でカッターを動作させる。
【００３２】
（位置固定工程）
図７（ｂ）及び図８（ｂ）に示すように、アダプタ３１に装着した共用操作棒２０１を操作し、連結体５３に対して一対の支持部５１を互い違いの方向に回転させる。その位置で固定部５５であるアイリングを回転させ、一対の支持部５１を位置固定する。
【００３３】
（脱落工程）
アダプタ３１から共用操作棒２０１を取り外す。この脱落工程は、切断工程に先立って行なってもよく、切断工程後に位置固定工程に先立って行なってもよく、位置固定固定後の最終工程として行ってもよい。
【００３４】
（４）効果
本実施の形態によれば、架空線１の切断に際しての作業性を良好にすることができる。切断後の架空線１は架空線支持具で確実に支持され、このとき作業員は架空線支持具を手で保持している必要がない。このため架空線支持具を操作する作業員とカッターを操作する作業員との立ち位置がクロスしないからである。
【００３５】
本実施の形態によれば、切断後の架空線１の復旧に際しての作業性も良好にすることができる。架空線１の切断後、位置固定工程において支持部５１を回転させて切断箇所を離反させるために切断後の架空線１を屈曲させずに済む。そこで架空線１の復旧のために切断箇所をスリーブで接続するに際して、スリーブを円滑に装着できるからである。
【００３６】
本実施の形態によれば、切断後の架空線１の充電部が他物に接触するという事故を確実に防止することができる。互いに連結されて一体化された一対のトング１１で架空線１を締着したままの状態に維持できるからである。これにより、切断後の架空線１の充電部が他物に接触することによって発生する地絡による停電などの事故を未然に防止することができる。
【００３７】
本実施の形態によれば、回転機構５４が連結体５３に対して一対の支持部５１を互い違いの方向に回転させ、固定部５５がその位置で一対の支持部５１を位置固定することができる。これにより、切断後の架空線１の両端をより遠くに離反させることができる。
【００３８】
≪第２の実施の形態≫
第２の実施の形態を図９に基づいて説明する。第１の実施の形態と同一部分は同一符号で示し説明も省略する。
【００３９】
本実施の形態は、一方の支持部５１と連結体５３との連結部分にのみ回転機構５４及び固定部５５を設け、もう一方の支持部５１と連結体５３とを固定的に連結したものである。図９中、連結体５３と固定的に連結しているのは右側の支持部５１である。このような固定的な連結は、例えば溶接による。
【００４０】
位置固定工程においては、連結体５３に対して図９中左側の一方の支持部５１のみを回転させることになる。そしてその回転させた一方の支持部５１のみを固定部５５によって位置固定する。
【００４１】
本実施の形態によれば、一対の支持部５１のうち一方の支持部５１にのみ回転機構５４及び固定部５５を設ければよいので、架空線支持具の構造の簡略化を図ることができ、位置固定工程での作業の簡略化も図ることができる。
【００４２】
≪第３の実施の形態≫
第３の実施の形態を図１０に基づいて説明する。第１の実施の形態と同一部分は同一符号で示し説明も省略する。
【００４３】
本実施の形態は回転機構５４に関するもので、連結体５３に対して一対の支持部５１を互い違いの方向にのみ回転自在とした。そのための構造として採用しているのは、支持部５１の回転規制機構１０１である。つまり連結体５３に一体的に固定されているストッパリング５４ａの外周からストッパ１０２を突出させ、図１０中でこのストッパ１０２に右側から当接する規制片１０３を支持パイプ５２に設ける。これにより図１０に示す支持パイプ５２（図１、図７（ａ）、（ｂ）中の右側の支持パイプ５２）は、規制片１０３がストッパ１０２に塞き止められることで時計方向の回転が阻止され、反時計方向にのみ回転が可能である。このような回転規制機構１０１は、図１０では隠れているもう一方の支持パイプ５２（図１、図７（ａ）、（ｂ）中の左側の支持パイプ５２）と連結体５３とにも設けられ、図１０の紙面上、このもう一方の支持パイプ５２について反時計方向の回転を阻止し時計方向にのみ回転可能にしている。したがって一対の支持部５１は、連結体５３に対して互い違いの方向にのみ回転自在である。
【００４４】
本実施の形態によれば、連結体５３に対して支持部５１が互い違いの方向にのみ回転自在なので、位置固定工程での作業の簡略化を図ることができる。
【００４５】
≪第４の実施の形態≫
第４の実施の形態を図１１に基づいて説明する。第１の実施の形態と同一部分は同一符号で示し説明も省略する。
【００４６】
本実施の形態は、連結体５３に対して一対の支持部５１を互い違いの方向にのみ自由回転させるラチェット機構１１１を固定部５５として採用した。つまり連結体５３に一体的に固定されているストッパリング５４ａの端面周上に複数個の突起１１２を突出させ、これらの突起１１２と干渉するラチェット片１１３を設けた。ラチェット片１１３は基部１１４に回転自在に取り付けられ、図１１中、時計方向への回転を規制されて反時計方向にのみ回転自在となっている。したがって図１１に示す支持パイプ５２（図１、図７（ａ）、（ｂ）中の右側の支持パイプ５２）は、ラチェット片１１３が突起１１２に塞き止められて時計方向の回転が阻止され、反時計方向にのみ回転が可能である。このようなラチェット機構１１１は、図１１では隠れているもう一方の支持パイプ５２（図１、図７（ａ）、（ｂ）中の左側の支持パイプ５２）と連結体５３とにも設けられ、図１１の紙面上、このもう一方の支持パイプ５２について反時計方向の回転を阻止し時計方向にのみ回転可能にしている。したがって一対の支持部５１は、連結体５３に対して互い違いの方向にのみ回転自在である。
【００４７】
ラチェット機構１１１について更に述べると、ラチェット機構１１１の基部１１４はラチェット片１１３の回転規制を解除する機構（図示せず）を備え、支持部５１の初期位置への復帰を可能にしている。
【００４８】
本実施の形態によれば、連結体５３に対して支持部５１が互い違いの方向にのみ回転自在なので、位置固定工程での作業の簡略化を図ることができる。
【００４９】
≪第５の実施の形態≫
第５の実施の形態を図１２及び図１３に基づいて説明する。第１ないし第４の実施の形態と同一部分は同一符号で示し説明も省略する。
【００５０】
本実施の形態は、一対のトング１１が締着する架空線１を切断するためのカッターを装着するカッター用操作棒（いずれも図示せず）を受け入れて支持するためのカッター支持部１２１を連結体５３に設けたものである。カッター支持部１２１は架空線支持部の正面側に開口１２２を位置付けて一対の支持片１２３を対向させたＵ字形状をしている。これにより開口１２２からカッター用操作棒の受け入れが可能である。
【００５１】
本実施の形態によれば、架空線１を切断する切断工程においてカッター支持部１２１にカッター用操作棒を預けて支持させることができるので、架空線１の切断作業の容易化を図ることができる。
【００５２】
≪第６の実施の形態≫
第６の実施の形態を図１４に基づいて説明する。第１ないし第４の実施の形態と同一部分は同一符号で示し説明も省略する。
【００５３】
本実施の形態は、一対のトング１１が締着する架空線１を切断可能な位置に位置させてカッター１３１が設けられている。カッター１３１は、連結体５３に例えば溶接によって固定されたカッター支持パイプ１３２に保持され、カッター用操作棒（図示せず）を装着可能なカッター用アダプタ１３３を備えている。カッター用アダプタ１３３は、一対のトング１１に設けられたアダプタ３１と同一構造のもので、カッター用操作棒に回転駆動されることでカッター１３１に切断動作を行なわせる。
【００５４】
本実施の形態によれば、架空線１の切断作業に際して、上記第１及び第２の装着工程に先立ちアクセス工程を実行する。アクセス工程は、カッター用アダプタ１３３にカッター用操作棒を装着し、装着したカッター用操作棒を持って一対のトング１１を架空線１に近づける工程である。例えば二組の作業員のうち一人の作業員がカッター用操作棒を持って一対のトング１１を架空線１に近づける。この状態でもう一人の作業員が上記第１の装着工程を遂行し、一方のトング１１で架空線１を締着する。その後、今度はこのもう一人の作業員がカッター用操作棒を持って架空線支持具を支え、今までカッター用操作棒を持っていた作業員が上記第２の装着工程を遂行し、もう一方のトング１１で架空線１を締着する。こうして第１及び第２の装着工程を実行したならば、カッター用操作棒を持っている作業員の操作でカッター１３１を動作させ、架空線１を切断する。
【００５５】
本実施の形態によれば、アクセス工程を実行することで、第１及び第２の装着工程での作業性を良好にすることができる。
【００５６】
≪変形例≫
本発明は上記第１〜第６の実施の形態に限定されるものではなく、実施に際しては各種の変形や変更が可能である。
【符号の説明】
【００５７】
１  架空線
１１  トング
３１  アダプタ
５１  支持部
５３  連結体
５４  回転機構
５５  固定部
１１１  ラチェット機構
１２１  カッター支持部
１３１  カッター
１３３  カッター用アダプタ
２０１  共用操作棒
【要約】
【課題】架空線の切断及び復旧に際しての作業性を良好にすることができ、しかも切断後の架空線の充電部が他物に接触するという事故を確実に防止することができる架空線支持具及び架空線の切断方法を提供すること。
【解決手段】アダプタ３１に装着した共用操作棒の回転によって架空線の締着とその解除とを行なう一対のトング１１を支持する一対の支持部５１を予め決められた距離だけ離して連結体５３で連結し、連結体５３に対して一対の支持部５１を回転自在にすると共に、連結体５３に対して互い違いの方向に回転させた一対の支持部５１を固定部５５で位置固定できるようにした。使用に際しては、一対のトング１１で架空線を締着し（第１及び第２の装着工程）、一対のトング１１の間に位置する架空線をカッターで切断し（切断工程）、連結体５３に対して一対の支持部５１を互い違いの方向に回転させて固定部５５で位置固定する（位置固定工程）。
【選択図】図１【図１】
0005539550.tif 000002
【図２】
0005539550.tif 000003
【図３】
0005539550.tif 000004
【図４】
0005539550.tif 000005
【図５】
0005539550.tif 000006
【図６】
0005539550.tif 000007
【図７】
0005539550.tif 000008
【図８】
0005539550.tif 000009
【図９】
0005539550.tif 000010
【図１０】
0005539550.tif 000011
【図１１】
0005539550.tif 000012
【図１２】
0005539550.tif 000013
【図１３】
0005539550.tif 000014
【図１４】
0005539550.tif 000015
【図１５】
0005539550.tif 000016